(57)【要約】【課題】アクセサリーを着脱自在に取り付けるための雌ネジ形状部が設けられた撮像装置において、雌ネジ形状部の外観品位を向上させるとともに、さらにアクセサリー取り付け時に付くキズが目立たないようにする。【解決手段】アクセサリーに設けられた雄ネジ部を取り付けるために穴形状と該穴形状に成形された雌ネジ形状部が設けられ、前記穴形状の底面に凹凸形状を成形することによって、底面に付いたキズや成形ムラなどを目立たないようにする。【選択図】      図１
2004258114.tif 000002
【特許請求の範囲】
【請求項１】
アクセサリーを取り付けるための雌ネジ形状部を有する撮像装置において、該雌ネジ形状部の底面に同心円状の凹凸形状を成形したことを特徴とする撮像装置。
【発明の詳細な説明】
【０００１】
【発明の属する技術分野】
本発明はアクセサリーを取り付け可能な撮像装置に関し、詳しくはアクセサリーの雄ネジを取り付けるための雌ネジ形状部が設けられた撮像装置に関する。
【０００２】
【従来の技術】
撮像装置としては、撮影された画像を撮像素子によりデジタル画像信号へ変換し、メモリーカードや磁気テープ等の記録媒体へ記録するデジタルスチルカメラ及びデジタルビデオカメラや、撮影画像をフィルムへ記録する銀塩カメラなどがある。
【０００３】
これらのカメラは、主要な部品のみ予め組み立てられており、アクセサリーなどその他の部品は使用者の用途に応じてオプション機材として取り付けることができる構成になっている。そして、カメラ本体には、後からでもアクセサリーが取り付けられるように、アクセサリーを取り付けるためのネジ部が設けられている。カメラ本体側のネジ部は、アクセサリーを取り付けないときにネジ部が目立たないように、雌ネジ形状とすることが殆どである。
【０００４】
デジタルスチルカメラや銀塩カメラは、セルフタイマー撮影時や光量が少なく長時間露光が必要となる夜景撮影時等の撮影シーンにおいて、カメラ本体を安定に保持するための三脚が使用される。一方、撮影シーンによっては、カメラ本体に三脚が取り付けられていると、撮影時の操作性が良くないことがある。そのため、三脚は、必要なときにカメラに取り付けて使用されることが殆どである。この場合、三脚側に雄ネジが成形され、カメラ本体側に三脚の雄ネジと螺合する雌ネジ形状部が設けられ、カメラ本体と三脚とはこれらのネジによって着脱可能に取り付けられる形態がある。
【０００５】
また、同様にデジタルビデオカメラにおいても、撮影時の手ぶれを軽減するために三脚が取り付けられるようカメラ本体側に雌ネジ形状部が成形されることがある。
【０００６】
一方、カメラ本体の雌ネジ形状部は、三脚取り付け時や取り付け後の外力により雌ネジそのもの、さらにはカメラ本体が変形・破損することを防止するために、亜鉛やアルミ等の金属により構成されている場合が多い。この場合、雌ネジ形状部は、コストの面から切削ではなくダイキャストにより製作されることが多い。
【０００７】
【特許文献１】
特開平７−４９５２２号公報
【特許文献２】
特開平８−３２８０９８号公報
【０００８】
【発明が解決しようとする課題】
しかしながら、上記のようにダイキャストにより雌ネジ形状部を製作すると、成形時の成形ムラが著しいことがある。また、雌ネジ形状部に外観品位の向上、及び防錆のためにメッキ処理を施しても、図６に示すように、雌ネジ形状部がピット形状となっているため、雌ネジ形状部が成形された穴形状の底面までメッキ液が届かないことがある。そのため、雌ネジ形状部の外観品位が劣化するという問題が生じることがある。
【０００９】
また、カメラ本体への三脚取り付け時においては、カメラ本体側の雌ネジ形状部へ三脚の雄ネジ部を必要以上の回転トルクで回転させてしまい、雌ネジ形状部が成形された穴形状の底面に三脚側の雄ネジでキズをつけてしまうという問題があった。また、三脚は各使用者によって取り付けられるため使用者の個人差によってカメラ本体側の雌ネジ形状部の損傷が著しいことがある。さらには、三脚はカメラ本体に繰り返して取り付けて使用されるため、カメラ本体側の雌ネジ形状部にはキズが生じやすい。
【００１０】
そこで、本発明の目的は、アクセサリーに設けられた雄ネジ部を取り付けるために穴形状と該穴形状に成形された雌ネジ形状部とを有する撮像装置において、雌ネジ形状部の外観品位を向上させるとともに、さらにアクセサリー取り付け時に付くキズが目立たないようにすることである。
【００１１】
【課題を解決するための手段】
本発明に係る構成は、アクセサリーを取り付けるための雌ネジ形状部を有する撮像装置において、該雌ネジ形状部の底面に同心円状の凹凸形状を成形したことを特徴とする撮像装置である。
【００１２】
【発明の実施の形態】
以下、本発明に係る実施の形態について図面を参照して説明する。本実施の形態における例示によって本発明が限定されることはない。
【００１３】
図２は、本実施の形態に係る撮像装置の一形態であるデジタルスチルカメラの全体構成を示す正面斜視図である。
【００１４】
図２において、２１はレンズ鏡筒部、２２はストロボ、２３はＡＦ補助光、２４は光学ファインダ対物側レンズ、２５はズーム操作レバー、２６はレリーズボタンである。
【００１５】
使用者は、撮影時に、カメラ本体の背面側に設けられた不図示の液晶表示部、或いは光学ファインダ２４を通して被写体を捕らえ、ズーム操作レバー２５により所望の画角を設定し、レリーズボタン２６を操作することで、カメラ本体内に収納された不図示のメモリーカードなどの記録媒体に撮影画像データが記録され、撮影が行われる。
【００１６】
また、図３は、前記デジタルスチルカメラの下面図である。
【００１７】
図３において、カメラ本体の下面の一方端側には三脚を取り付けるための雌ネジ形状部３１が成形されている。また、カメラ本体の下面の他方端側にはカメラ本体内に電池を収納するための電池収納部用の電池蓋３２が設けられている。
【００１８】
カメラ本体は、主要な部品のみ予め組み立てられており、使用者の要望に応じて後付けでアクセサリーを取り付けることができるようになっている。
【００１９】
本実施の形態では、アクセサリーとして三脚をカメラ本体に取り付けることができる。前記三脚は、不図示とするが、カメラ本体を保持する保持部と、三本の脚部とを有し、保持台にカメラ本体を固定するための雄ネジが設けられている。
【００２０】
カメラ本体に三脚を取り付けることで、セルフタイマー時や長時間露光時の撮影が可能となる。一方、カメラ本体に三脚を常に取り付けていると、カメラ本体を持ち運びにくいことや、使用者の手でカメラ本体を支持して撮影するときに操作しにくいことがある。そのため、三脚はカメラ本体に着脱可能に取り付けられる。
【００２１】
カメラ本体に三脚を取り付ける場合には、三脚側の雄ネジをカメラ本体側の雌ネジ形状部３１に押し当てながら、雄ネジの取り付け方向に対して時計回り方向に回転させることで、雌ネジ形状部３１に雄ネジを螺合させ支持させる。
【００２２】
また、カメラ本体を三脚から取り外す場合には、三脚側の雄ネジを取り付け方向に対して反時計回り方向に回転させることで、カメラ本体側の雌ネジ形状部３１から雄ネジを取り外す。
【００２３】
次に、従来の雌ネジ形状部について図５及び図６に示す拡大図及び断面図を用いて説明する。
【００２４】
図６において、雌ネジ形状部６２は、カメラ本体に設けられた穴形状の円筒部の円周面に、三脚側の雄ネジ部に適合するように成形されている。使用者が三脚側の雄ネジ部を取り付け方向（図中矢印Ｘ）に対して時計回りに回転させることで、雄ネジが雌ネジ形状部６２に螺合される。
【００２５】
また、６１は雌ネジ形状部６２が成形された穴形状の底面である。従来の底面６１の表面は凹凸形状がなく平面で構成されている。
【００２６】
この底面６１が平面であると、雌ネジ形状部６２がダイキャストによって成形される場合に、雌ネジ形状部６２から金型を離型するときに底面６１と金型の先端部とが接触するなどによって、図５に示すように底面６１に成形ムラ５１が生じることがある。
【００２７】
また、カメラ本体に三脚を取り付ける際に、雄ネジを雌ネジ形状部６２へ必要以上の回転トルクで回転させると、雄ネジの取り付け方向先端部と底面６１とが接触して図５に示すようなキズ５２を付けてしまうことがある。三脚はカメラ本体に着脱可能に取り付けられ、撮影シーンに応じて繰り返して取り付けられるため、取り付け時のキズ５２は多数生じる可能性がある。
【００２８】
このような成形ムラ５１やキズ５２は、カメラ本体を雌ネジ形状部６２が成形された面、すなわち下面側から見たときに目立つため、カメラ本体の外観品位を低下させる。
【００２９】
一方、カメラ本体の外観品位や防錆を目的としてメッキ処理を雌ネジ形状部６２周辺にも施す場合では、図６に示すように、雌ネジ形状部６２がピット形状となっているため、メッキ液が図中矢印Ｙで示すように雌ネジ形状部６２の穴形状の奥側まで届かないことがある。雌ネジ形状部６２の穴形状の奥側までメッキ処理が施されないと、メッキ処理がなされている雌ネジ形状部６２周囲と比べると、配色や質感が異なり外観品位が劣るという問題が生じる。
【００３０】
以下、本実施の形態に係る雌ネジ形状部１３について図１及び図４を参照して説明する。
【００３１】
図１及び図４は、それぞれカメラ本体側の雌ネジ形状部３１の断面図及び拡大図である。
【００３２】
図１において、雌ネジ形状部１３は、カメラ本体に設けられた穴形状の円筒部の内周面に、三脚側の雄ネジに適合するように成形されている。このように雌ネジ形状が成形されることで、カメラ本体側の雌ネジ形状部１３に三脚側の雄ネジを押し当て、押し当てた方向に対して雄ネジを時計回り方向に回転させると、雌ネジ形状部１３に雄ネジが螺合し支持される。
【００３３】
１２は、雌ネジ形状部１３が成形された穴形状の底面である。この底面１２は、雌ネジ形状部１３の円筒部と同心円の円形状となっている。また、底面１２の表面には凹凸形状１１が成形されている。本実施の形態では、底面１２の凹凸形状１１は、底面１２の円形状の中心を円心とし半径の異なる複数の円を描く線状の凹形状又は凸形状で成形される。なお、底面１２の凹凸形状１１において、同心円の線状の円の数や間隔は図面の記載に限定されない。
【００３４】
また、雌ネジ形状部１３がダイキャストで成形される場合では、雌ネジ形状部１３が成形される際に雌ネジ形状部１４の金型は回転しながら離型される。そのため、凹凸形状１１が、穴形状の底面１２の円形、すなわち穴形状の円筒部と同心円であれば、金型を用いて問題なく底面１２の凹凸形状が成形される。
【００３５】
穴形状の底面１２に凹凸形状１１が成形されることで、カメラ本体の下面側から雌ネジ形状部１３を見るときに、底面１２の凹凸形状１１に光が入射されると乱反射が生じる。そのため、上記した成形ムラ５１が底面１２にあっても視覚的に目立たない。また、メッキ処理が雌ネジ形状部１３の奥側まで及んでない場合でも視覚的に目立たない。
【００３６】
また、カメラ本体に三脚を取り付けるときに、カメラ本体側の雌ネジ形状部１３が成形された穴形状の底面１２と三脚側の雄ネジとが接触しても、底面１２が凹凸形状１１をしているため、視覚的に目立つような大きなキズが付くことが無い。また、凹凸形状１１の表面に雄ネジと擦り合ってキズが付いたとしても小さなキズであるため、上記した乱反射によって視覚的に目立たない。
【００３７】
このように、本実施の形態によれば、カメラ本体の雌ネジ形状部１３の外観品位、特に雌ネジ形状部１３が成形された穴形状の底面１２における外観品位を高めることができる。
【００３８】
なお、底面１２の凹凸形状１１は、上記した同心円に限定されず、入射光を乱反射するものであれば、直線状や楕円状などその他の形状とすることも可能である。
【００３９】
本実施の形態は三脚を取り付けるための雌ネジ形状部が形成された穴形状に限られるものではない。雄ネジ部を有するアクセサリーであれば、三脚以外のアクセサリーを取り付けるための雌ネジ形状部が形成された穴形状に対しても適用することができる。
【００４０】
また、本実施の形態は上記したデジタルスチルカメラに限らず、銀塩カメラやデジタルビデオカメラなどにも適用することができる。
【００４１】
さらに、以上説明した各実施の形態は、以下に示す各発明を実施した場合の一例でもあり、下記の各発明は上記各実施の形態に様々な変更や改良が加えられて実施されるものである。
【００４２】
〔発明１〕
アクセサリーに設けられた雄ネジ部を取り付けるために、穴形状と該穴形状の円筒部に成形された雌ネジ形状部とを有する撮像装置であって、前記穴形状の底面が入射光を乱反射する形状であることを特徴とする撮像装置。
【００４３】
このような発明１によれば、ダイキャストを用いた雌ネジ形状部の成形時に成形ムラが底面部に発生した場合や、撮像装置本体にメッキ処理を施したときに雌ネジ形状部の底面側までメッキ処理が及ばなかった場合などに、底面部は入射光に対して乱反射するため、底面部の成形ムラやメッキ未処理部分が視覚的に目立ちにくくなる。また、雌ネジ形状部に雄ネジを取り付けるときに雄ネジ部の底面にキズが付いたとしても、前述の乱反射によりキズが視覚的に目立ちにくい。そのため、撮像装置、特に雌ネジ形状部の外観の美観性を良好に保つことができる。
【００４４】
このような発明１において、前記アクセサリーはセルフタイマー時や長時間露光時の撮影で撮像装置本体を保持する三脚などである。また、三脚以外にも撮像装置本体を固定し得る部材や、撮像装置を持ち運ぶためのストラップ部材などに適用することができる。
【００４５】
〔発明２〕
上記発明１において、前記穴形状の底面は、前記穴形状の円筒部の中心を円心とし半径が異なる複数の同心円の凹凸形状を有することを特徴とする撮像装置。
【００４６】
このような発明４によれば、雌ネジ形状部をダイキャストにより成形するときに、金型を離型しやすいため、成形性が向上される。
【００４７】
【発明の効果】
以上説明したように、本発明は、アクセサリーを取り付けるための雌ネジ形状部が設けられた撮像装置において、雌ネジ形状部の外観品位を向上させるとともに、さらにアクセサリー取り付け時に付くキズが目立たないようにすることができる。
【図面の簡単な説明】
【図１】本発明の実施の形態に係るデジタルカメラにおける雌ネジ形状部の断面図。
【図２】本発明の実施の形態に係るデジタルカメラの正面斜視図。
【図３】本発明の実施の形態に係るデジタルカメラの下面図。
【図４】本発明の実施の形態に係るデジタルカメラにおける雌ネジ形状部の拡大図。
【図５】従来例のデジタルカメラにおける雌ネジ形状部の拡大図。
【図６】従来例のデジタルカメラにおける雌ネジ形状部の断面図。
【符号の説明】
１１：凹凸形状
１２：底面
１３：雌ネジ形状部
２１：レンズ鏡筒部
２２：ストロボ
２３：ＡＦ補助光
２４：光学ファインダ
２５：ズーム操作レバー
２６：レリーズボタン
３１：雌ネジ形状部
３２：電池蓋
５１：成形ムラ
５２：キズ
６１：従来例の雌ネジ形状部の底面
６２：従来例の雌ネジ形状部
【図１】
2004258114.tif 000003
【図２】
2004258114.tif 000004
【図３】
2004258114.tif 000005
【図４】
2004258114.tif 000006
【図５】
2004258114.tif 000007
【図６】
2004258114.tif 000008